(57)【特許請求の範囲】
【請求項１】
構造物の屋内側と屋外側とを連通する開口部の屋外側に配置され、かつ幅方向における両端部が、前記開口部を形成する幅方向において離間して設置される一対の枠部材と屋内外方向においてそれぞれ対向する止水板と、
前記止水板の屋内側の側面のうち、少なくとも前記一対の枠部材と屋内外方向において対向する部分にそれぞれ設けられ、前記枠部材と前記止水板との間を止水する一対の第１止水部材と、
前記止水板の底面に、幅方向における両端部が前記一対の第１止水部材とそれぞれ連結され、前記開口部の床部と前記止水板との間を止水する第２止水部材と、
前記止水板の底面に、幅方向に延在する載置部と、を備える止水装置において、前記止水板を収納する収納具であって、
前記止水板の幅方向における両端部が挿入される一対の挿入部材と、
前記挿入部材を支持する支持部材と、を備え、
前記一対の挿入部材は、
前記止水板の厚み方向における両側面に対向する一対の当接部と、
前記一対の当接部の間に位置し、前記止水板の載置部が上下方向において当接し、前記第２止水部材と床面とが離間した状態で当該止水板を支持する段差部と、を備えることを特徴とする止水板の収納具。
【請求項２】
前記一対の当接部は、
屋内外方向における屋内側の当接部が、前記第１止水部材と厚み方向で対向する屋外側の当接部よりも幅方向において内側に設けられている請求項１に記載の止水板の収納具。
【請求項３】
前記止水装置は、
前記枠部材に対する前記止水板の幅方向における位置を決める一対の位置決め機構を備え、
前記一対の挿入部材は、
前記一対の位置決め機構を収容する空間部を備える請求項１又は２に記載の止水板の収納具。
【発明の詳細な説明】
【技術分野】
【０００１】
本発明は、構造物の屋内側と屋外側とを連通する開口部を止水する止水板を収納する収納具に関する。
【背景技術】
【０００２】
従来、豪雨、津波、河川の氾濫などの水害時に、外部である屋外からの氾濫水などの水は、構造物の開口部から内部である構造物内（屋内）に浸入するため、構造物の開口部に止水板が設けられている場合がある。止水板は、例えば、開口部を形成する幅方向において離間して設置される一対の枠部材の間に設置され、止水板と一対の枠部材との間、および止水板と設置面との間にゴムなどが介在され、開口部の止水を行うものである（特許文献１）。
【先行技術文献】
【特許文献】
【０００３】
【特許文献１】特許第４２６４３００号公報
【発明の概要】
【発明が解決しようとする課題】
【０００４】
ところで、止水板は、河川の氾濫などの水害時に使用するものであるので、水害時以外のときには、倉庫等に収納している。倉庫等に収納する際に、止水板を平置きすると多くのスペースが必要となる問題がある。また、倉庫等の壁に立て掛けると、止水板の底面や側面に取り付けられた止水用のゴムが変形したり、損傷したりする問題がある。
【０００５】
そこで、本発明は、上記に鑑みてなされたものであって、止水板を好適に収納することができる止水板の収納具を提供することを目的とする。
【課題を解決するための手段】
【０００６】
上述した課題を解決し、目的を達成するために、本発明に係る止水板の収納具は、構造物の屋内側と屋外側とを連通する開口部の屋外側に配置され、かつ幅方向における両端部が、前記開口部を形成する幅方向において離間して設置される一対の枠部材と屋内外方向においてそれぞれ対向する止水板と、前記止水板の屋内側の側面のうち、少なくとも前記一対の枠部材と屋内外方向において対向する部分にそれぞれ設けられ、前記枠部材と前記止水板との間を止水する一対の第１止水部材と、前記止水板の底面に、幅方向における両端部が前記一対の第１止水部材とそれぞれ連結され、前記開口部の床部と前記止水板との間を止水する第２止水部材と、前記止水板の底面に、幅方向に延在する載置部と、を備える止水装置において、前記止水板を収納する収納具であって、前記止水板の幅方向における両端部が挿入される一対の挿入部材と、前記挿入部材を支持する支持部材と、を備え、前記一対の挿入部材は、前記止水板の厚み方向における両側面に対向する一対の当接部と、前記一対の当接部の間に位置し、前記止水板の載置部が上下方向において当接し、前記第２止水部材と床面とが離間した状態で当該止水板を支持する段差部と、を備えることを特徴とする。
【０００７】
この発明によれば、止水板の厚み方向における両側面を一対の当接部により支持することができ、止水板の底面側を段差部により支持することができる。これにより、止水板を立て掛けて収納することができるので、収納するスペースを狭くすることができる。また、止水板の底面に取り付けられた第２止水部材を収納時に非接触状態とすることができるので、第２止水部材が変形したり、損傷したりすることを防止できる。
【０００８】
また、上記止水板の収納具において、前記一対の当接部は、屋内外方向における屋内側の当接部が、前記第１止水部材と厚み方向で対向する屋外側の当接部よりも幅方向において内側に設けられていることが好ましい。
【０００９】
この発明によれば、第１止水部材が屋内側の当接部に接触することを防止できるので、第１止水部材が変形したり、損傷したりすることを防止できる。
【００１０】
また、上記止水板の収納具において、前記止水装置は、前記枠部材に対する前記止水板の幅方向における位置を決める一対の位置決め機構を備え、前記一対の挿入部材は、前記一対の位置決め機構を収容する空間部を備えることが好ましい。
【００１１】
この発明によれば、位置決め機構が挿入部材に接触することを防止できるので、位置決め機構が損傷することを防止できる。
【発明の効果】
【００１２】
本発明に係る止水板の収納具によれば、止水板の厚み方向における両側面に対向する一対の当接部と、止水板を支持する段差部とを備えるので、止水板を好適に収納することができる。
【図面の簡単な説明】
【００１３】
【図１】図１は、実施形態に係る止水装置の構成例を示す正面図である。
【図２】図２は、実施形態に係る止水板の構成例を示す正面図である。
【図３】図３は、実施形態に係る収納具の構成例を示す正面図である。
【図４】図４は、実施形態に係る止水板の収納例を示す正面図である。
【図５】図５は、実施形態に係る止水板の収納例を示す断面図である。
【図６】図６は、実施形態に係る止水板の収納例を示す上面図である。
【図７】図７は、実施形態に係る止水板の収納例を示す断面図である。
【発明を実施するための形態】
【００１４】
本発明を実施するための形態（実施形態）につき、図面を参照しつつ詳細に説明する。以下の実施形態に記載した内容により本発明が限定されるものではない。また、以下に記載した構成要素には、当業者が容易に想定できるもの、実質的に同一のものが含まれる。さらに、以下に記載した構成は適宜組み合わせることが可能である。また、本発明の要旨を逸脱しない範囲で構成の種々の省略、置換又は変更を行うことができる。
【００１５】
〔実施形態〕
実施形態に係る止水板の収納具について説明する。図１は、実施形態に係る止水装置の構成例を示す正面図である。図２は、実施形態に係る止水板の構成例を示す正面図である。図３は、実施形態に係る収納具の構成例を示す正面図である。図４は、実施形態に係る止水板の収納例を示す正面図である。図５は、実施形態に係る止水板の収納例を示す断面図である。図６は、実施形態に係る止水板の収納例を示す上面図であり、図５に示す止水板を上面から見た図である。図７は、実施形態に係る止水板の収納例を示す断面図である。
【００１６】
ここで、各図における「屋内外方向」とは開口部を挟んで屋外側と屋内側とを結ぶ方向であり、「幅方向」とは屋内外方向と直交し、一対の枠部材が離間して設置される方向であり、「上下方向」とは屋内外方向および幅方向と直交する方向である。
【００１７】
止水装置１は、図１および図２に示すように、開口部１００を止水するものであり、止水板２と、第１止水部材３Ｒ，３Ｌ（図５，図７参照）と、第２止水部材４と、一対の押圧機構５Ｒ，５Ｌと、一対の固定機構６Ｒ，６Ｌと、姿勢維持機構７Ｒ，７Ｌと、一対の位置決め機構８Ｒ，８Ｌ（図５，図７参照）とを備える。止水装置１は、使用後に止水板２が開口部１００の枠部材２００Ｒ，２００Ｌから取り外され、図３及び図４に示すように、止水板２が収納具９に収納される。
【００１８】
ここで、開口部１００は、構造物の屋内側と屋外側とを連通するものであり、例えば、高い意匠性が要求される店舗の入り口などを構成する。開口部１００は、少なくとも一対の枠部材２００Ｒ，２００Ｌと、床部である設置面３００とにより形成されている。一対の枠部材２００Ｒ，２００Ｌは、幅方向において離間して設置されるものであり、床や、地面などの設置面３００から立設されている。
【００１９】
止水板２は、開口部１００の屋外側に配置されることで、屋外側から屋内側に浸入する水を屋外側の側面２ａで受け止め、堰き止めるものである。止水板２は、矩形状に形成されており、幅方向における長さが開口部１００の幅方向における長さよりも長く設定されている。つまり、止水板２は、幅方向における両端部が一対の枠部材２００Ｒ，２００Ｌと、屋内外方向においてそれぞれ対向する。止水板２は、上段板材２１と、中段板材２２（２２ａ〜２２ｃ）と、下段板材２３と、一対の側面部材２４Ｒ，２４Ｌとを備える。本実施形態における止水板２は、上段板材２１と下段板材２３との間に３枚の中段板材２２（２２ａ〜２２ｃ）が配置されている場合について説明するが、これに限定されるものではなく、中段板材２２を上段板材２１と下段板材２３との間に３枚を超える枚数であっても、また３枚未満の枚数であってもよい。これにより、止水板２は、立位状態における上下方向での高さを調整することができる。止水板２の高さは、ユーザーが十分に跨ぐことができる高さに設定されていることが好ましく、例えば、３０ＣＭから６０ＣＭ程度が好ましい。従って、止水装置１が設置状態であっても、開口部１００を使用して、外部と構造物の内部との間において止水板２を跨ぐことで、行き来することができる。止水板２は、屋外側の側面２ａにおいて受け止めた水の水圧に耐えうる強度を有し、かつ、ユーザーが単独で持ち運びできる程度の重量であることが好ましいため、アルミニウム、アルミニウム合金あるいはステンレスなど、軽量で強度の高い材料で構成されている。
【００２０】
一対の第１止水部材３Ｒ，３Ｌは、枠部材２００Ｒ，２００Ｌと止水板２との間をそれぞれ止水するものである。第１止水部材３Ｒ，３Ｌは、止水板２の屋内側の側面２ｂの幅方向における両端部にそれぞれ設けられている。本実施形態における第１止水部材３Ｒ，３Ｌは、一対の側面部材２４Ｒ，２４Ｌに保持されている。第１止水部材３Ｒ，３Ｌは、同一形状であり、止水板２の上下方向における両端部までの長さを有する帯状に形成されている。第１止水部材３Ｒ，３Ｌは、弾性部材であり、弾性変形が大きい軟質ゴム、あるいは発泡ゴムなどである。ここで、第１止水部材３Ｒ，３Ｌは、第１止水部材３Ｒを枠部材２００Ｒと屋内外方向において対向させた際に、第１止水部材３Ｌが枠部材２００Ｌと屋内外方向において対向するように、止水板２に対する幅方向の間隔が設定されている。なお、第１止水部材３Ｒ，３Ｌは、止水板２の上下方向における下方側端部から上方に向かって形成されていればよく、この場合は止水装置１が想定する止水すべき設置面３００からの高さよりも高い位置まで形成されていればよい。
【００２１】
第２止水部材４は、設置面３００と止水板２との間を止水するものである。第２止水部材４は、止水板２の底面２ｄ、すなわち上下方向における下方側の面に設けられている。本実施形態における第２止水部材４は、下段板材２３に保持されている。下段板材２３は、図５に示すように、本体２３ａと、載置部２３ｂと、固定部２３ｃとを備えている。載置部２３ｂは、本体２３ａの下方側に位置し、下段板材２３の幅方向における両端部まで延在して形成されている。載置部２３ｂは、上下方向における下方側が開口して形成されている。固定部２３ｃは、本体２３ａの下方側に位置し、下段板材２３の幅方向における両端部まで形成されている。固定部２３ｃは、上下方向における下方側が開口して形成されている。載置部２３ｂおよび固定部２３ｃは、厚み方向において隣り合って形成され、止水板２の幅方向において並列して形成されている。本実施形態における下段板材２３では、固定部２３ｃの開口から第２止水部材４が挿入されて固定部２３ｃに固定されている。第２止水部材４は、止水板２の幅方向における両端部までの長さを有する帯状に形成されている。第２止水部材４は、幅方向における両端部が第１止水部材３Ｒ，３Ｌとそれぞれ連結されている。例えば、第２止水部材４の幅方向における両端部が止水板２の屋内側の側面２ｂ側に延在しており、側面２ｂ側において第１止水部材３Ｒ，３Ｌと第２止水部材４とが屋内外方向において重なっている。第２止水部材４は、弾性部材であり、弾性変形が大きい軟質ゴム、あるいは発泡ゴムなどである。第２止水部材４は、第１止水部材３Ｒ，３Ｌと共通の断面形状としてもよいが、止水板２の自重および押圧機構５Ｒ，５Ｌによる押圧力により変形することを考慮して、外力が作用していない状態で、第１止水部材３Ｒ，３Ｌよりも厚く形成するようにしてもよい。
【００２２】
一対の押圧機構５Ｒ，５Ｌは、止水板２が傾斜状態から立位状態となることで、止水板２を設置面３００に押圧するものである。押圧機構５Ｒ，５Ｌは、支持部材５１と、押圧部材５２とを備える。支持部材５１は、押圧部材５２を幅方向周りに回転自在に支持するものである。支持部材５１は、止水板２の屋内側の側面２ｂに取り付けられている。押圧部材５２は、後述するノブ６２を介して固定機構６Ｒ，６Ｌを幅方向周りに回転自在にそれぞれ支持するものである。押圧部材５２は、幅方向から見た場合にＬ字状に形成されており、厚み方向および上下方向から見た場合に所定の厚みを有している。押圧部材５２は、第１先端部５２ａと、第２先端部５２ｂと、角部５２ｃとを備える。第１先端部５２ａには、幅方向に平行な回転軸５３を介して支持部材５１が取り付けられている。第２先端部５２ｂには、後述するフック７２が取り付けられている。角部５２ｃには、固定機構６Ｒ，６Ｌのノブ６２の軸部６２ａ（図６参照）が螺合する雌ねじが軸方向に形成されている。
【００２３】
一対の固定機構６Ｒ，６Ｌは、枠部材２００Ｒ，２００Ｌに着脱自在にそれぞれ固定されるものである。本実施形態における固定機構６Ｒ，６Ｌは、止水板２に対する幅方向における位置を変化させることで、枠部材２００Ｒ，２００Ｌの幅方向において対向する対向面２０１にそれぞれ接触するとともに、幅方向外側にそれぞれ押圧することで、枠部材２００Ｒ，２００Ｌにそれぞれ固定される。固定機構６Ｒ，６Ｌは、枠部材２００Ｒ，２００Ｌに接触する接触部材６１と、接触部材６１を幅方向周りに回転自在に支持するノブ６２とを備える。ノブ６２は、雄ねじが形成された軸部６２ａと、軸部６２ａの一方側に取り付けられた把持部６２ｂとを備える。軸部６２ａは、押圧部材５２の雌ねじに螺合された状態で、軸部６２ａの先端に接触部材６１が取り付けられている。把持部６２ｂを幅方向周りに回転すると、軸部６２ａに螺合された押圧部材５２と、軸部６２ａの先端に取り付けられた接触部材６１とが幅方向に相対移動する。つまり、把持部６２ｂを一方側に回転すると、接触部材６１が幅方向における外側に移動して枠部材２００Ｒ，２００Ｌに突き当てられる。また、把持部６２ｂを他方側に回転すると、接触部材６１が幅方向における内側に移動して枠部材２００Ｒ，２００Ｌから離れる。
【００２４】
姿勢維持機構７Ｒ，７Ｌは、押圧機構５Ｒ，５Ｌの姿勢を維持するものである。姿勢維持機構７Ｒ，７Ｌは、引っ掛け部材７１と、フック７２とを備える。引っ掛け部材７１は、止水板２の上段板材２１における屋外側の側面２ａに取り付けられ、リング部７１ａを備える。フック７２は、押圧部材５２の第２先端部５２ｂに取り付けられている。押圧部材５２の第１先端部５２ａの回転軸５３を中心に、幅方向周りに押圧部材５２を屋外側の側面２ａに向けて立位状態まで回転させ、押圧部材５２のフック７２をリング部７１ａに引っ掛ける。これにより、押圧部材５２が上下方向に沿って姿勢が維持され、例えば収納時に、押圧部材５２の角部５２ｃに取り付けられた固定機構６Ｒ，６Ｌが第１止水部材３Ｒ，３Ｌに接触することを防止できる。
【００２５】
一対の位置決め機構８Ｒ，８Ｌは、枠部材２００Ｒ，２００Ｌに対する止水板２の幅方向における位置を決めるものである。位置決め機構８Ｒ，８Ｌは、止水板２の屋内側の側面２ｂ側であって、上下方向における下方側、かつ、幅方向における外側にそれぞれ設けられている。位置決め機構８Ｒ，８Ｌは、本体部材８１と、位置決め部材８２と、移動・保持部材８３，８４とを備える。位置決め機構８Ｒ，８Ｌは、移動・保持部材８３，８４により、位置決め部材８２の本体部材８１に対する幅方向における位置を変更することで、第１止水部材３Ｒ，３Ｌを枠部材２００Ｒ，２００Ｌと屋内外方向において対向させる。
【００２６】
収納具９は、止水板２を立て掛けて収納するものであり、一対の挿入部材９１Ｒ，９１Ｌを備える。挿入部材９１Ｒ，９１Ｌは、止水板２の幅方向における両端部が挿入されるものである。挿入部材９１Ｒと挿入部材９１Ｌとは、幅方向に一定の間隔を有し、上下方向において同じ高さで壁９２に設置される。例えば、挿入部材９１Ｒ，９１Ｌは、図示しないねじ穴を有し、ねじ穴にねじ９３が挿通されて壁９２に固定される。壁９２は、挿入部材９１Ｒ，９１Ｌを支持する支持部材として機能する。挿入部材９１Ｒと挿入部材９１Ｌとの幅方向における間隔は、止水板２を挿入することができ、かつ、止水板２を支持することができるように、止水板２の幅方向における長さに基づいて設定される。なお、挿入部材９１Ｒ，９１Ｌは、壁９２以外に図示しない自立型のスタンドに固定するようにしてもよい。
【００２７】
挿入部材９１Ｒ，９１Ｌは、上下方向に延在する筒状の部材であり、図３および図７に示すように、本体９１ａと、上方開口部９１ｂと、下方開口部９１ｃと、側方開口部９１ｄと、当接板９１ｅ，９１ｆと、段差部９１ｇと、空間部９１ｈとを備える。上方開口部９１ｂは、本体９１ａの上下方向における上方側が開口された開口部であり、止水板２の幅方向における両端部が挿入される。下方開口部９１ｃは、本体９１ａの上下方向における下方側が開口された開口部である。側方開口部９１ｄは、本体９１ａの幅方向における一方側、つまり、挿入部材９１Ｒと挿入部材９１Ｌとが幅方向において対向する側が開口された開口部であり、幅方向から止水板２の両端部が挿入される。
【００２８】
当接板９１ｅ，９１ｆは、当接部として機能し、止水板２を厚み方向（屋内外方向）から支持するものである。当接板９１ｅ，９１ｆは、側方開口部９１ｄに設けられ、止水板２の厚み方向（屋内外方向）における両側面２ａ，２ｂにそれぞれ対向する。当接板９１ｅ，９１ｆは、板状に形成されている。屋外側の当接板９１ｅは、本体９１ａの幅方向における一方の端部が幅方向に沿って折り曲げられて形成され、厚み方向において止水板２の屋外側の側面２ａと対面している。また、屋内側の当接板９１ｆは、本体９１ａの幅方向における他方の端部が幅方向に沿って折り曲げられて形成され、止水板２の屋内側の側面２ｂに対面している。つまり、当接板９１ｅと当接板９１ｆとは、幅方向に平行に形成され、かつ、厚み方向において止水板２の厚みよりも広い間隔を有している。当接板９１ｅには、止水板２の側面２ａと当接する部分に、ゴムや樹脂などの緩衝材９１ｉが設けられている。また、当接板９１ｆには、止水板２の側面２ｂと当接する部分に、ゴムや樹脂などの緩衝材９１ｊが設けられている。屋外側の当接板９１ｅは、止水板２の屋外側の側面２ａを支持し、屋内側の当接板９１ｆは、止水板２の屋内側の側面２ｂを支持する。これにより、止水板２は、上下方向に立位した状態となる。
【００２９】
ここで、止水板２を上下方向から挿入部材９１Ｒ，９１Ｌに挿入する際に、止水板２の位置決め機構８Ｒ，８Ｌが屋内側の当接板９１ｆに接触しないようにするために、屋内側の当接板９１ｆが屋外側の当接板９１ｅよりも幅方向において内側に設けられている。さらに、位置決め機構８Ｒ，８Ｌが本体９１ａの内壁に接触しないようにするために、位置決め機構８Ｒ，８Ｌを収容する空間部９１ｈが本体９１ａに設けられている。また、位置決め機構８Ｒ，８Ｌに対して、第１止水部材３Ｒ，３Ｌは、幅方向において外側に位置し、屋内外方向において屋内側の側面２ｂ側に位置する。これにより、第１止水部材３Ｒ，３Ｌは、屋内側の当接板９１ｆに接触せず、かつ、空間部９１ｈに収容されて本体９１ａの内壁に接触しない。
【００３０】
段差部９１ｇは、止水板２を上下方向における下方側から支持するものであり、挿入部材９１Ｒ，９１Ｌの下方開口部９１ｃに設けられている。段差部９１ｇは、屋外側の当接板９１ｅの内壁下端部に幅方向に沿って延在し、当接板９１ｅの内壁から厚み方向に突出している。例えば、段差部９１ｇは、当接板９１ｅの内壁から厚み方向に、止水板２の載置部２３ｂの厚み程度突出している。段差部９１ｇは、長手方向（幅方向）における直交断面が矩形状に形成されている。段差部９１ｇは、止水板２の載置部２３ｂが上下方向における上方側から当接することにより、第２止水部材４と床面とが離間した状態で止水板２を支持する。このとき、載置部２３ｂに隣接する第２止水部材４は、挿入部材９１Ｒ，９１Ｌの下方開口部９１ｃに位置し、どの部分にも接触していない。
【００３１】
以上のように、実施形態に係る止水板の収納具によれば、止水板２の厚み方向における両側面２ａ，２ｂに対向する一対の当接板９１ｅ，９１ｆと、止水板２の載置部２３ｂが上下方向から当接して止水板２を支持する段差部９１ｇとを備えるものである。
【００３２】
これにより、止水板２の厚み方向における両側面２ａ，２ｂを一対の当接部９１ｅ，９１ｆにより支持することができ、止水板２の底面２ｄ側を段差部９１ｇにより支持することができる。従って、止水板２を立て掛けて収納することができるので、収納するスペースを狭くすることができる。また、止水板２の底面２ｄに取り付けられた第２止水部材４を収納時に非接触状態とすることができるので、第２止水部材４が変形したり、損傷したりすることを防止できる。
【００３３】
また、収納具９に収納する止水板２の屋内外方向における向きと、枠部材２００Ｒ，２００Ｌに設置する止水板２の屋内外方向における向きとが同じ向きであるので、止水板２を設置および収納する際に、止水板２を回転させて向きを変更する必要がなく、作業が容易になる。
【００３４】
〔変形例〕
次に、実施形態の変形例について説明する。当接板９１ｅ，９１ｆは、板状の部材として説明したが、これに限定されない。例えば、当接板９１ｅ，９１ｆは、幅方向に延在する棒状の部材を上下方向に複数設置し、止水板２を厚み方向（屋内外方向）から支持するような部材でもよい。
【００３５】
段差部９１ｇは、屋外側の当接板９１ｅの内壁から厚み方向に突出し、止水板２の載置部２３ｂが当接する例について説明したが、これに限定されない。例えば、段差部９１ｇは、止水板２の載置部２３ｂの開口を引っ掛けて止水板２を上下方向における下方側から支持する引っ掛け部でもよい。
【産業上の利用可能性】
【００３６】
以上のように、本発明に係る止水板の収納具は、止水板を好適に収納する際に適している。
【符号の説明】
【００３７】
１  止水装置
２  止水板
２１〜２３  板材
２３ａ  本体
２３ｂ  載置部
２３ｃ  固定部
３Ｒ，３Ｌ  第１止水部材
４  第２止水部材
５Ｒ，５Ｌ  押圧機構
６Ｒ，６Ｌ  固定機構
７Ｒ，７Ｌ  姿勢維持機構
８Ｒ，８Ｌ  位置決め機構
９  収納具
９１Ｒ，９１Ｌ  挿入部材
９１ａ  本体
９１ｂ  上方開口部
９１ｃ  下方開口部
９１ｄ  側方開口部
９１ｅ，９１ｆ  当接板
９１ｇ  段差部
９１ｈ  空間部
９１ｉ，９１ｊ  緩衝材
９２  壁
９３  ねじ
１００  開口部
２００Ｒ，２００Ｌ  枠部材
３００  設置面
【図１】
0006499533.tif 000002
【図２】
0006499533.tif 000003
【図３】
0006499533.tif 000004
【図４】
0006499533.tif 000005
【図５】
0006499533.tif 000006
【図６】
0006499533.tif 000007
【図７】
0006499533.tif 000008